(57)【要約】【課題】出荷される個体のそれぞれを直接検査しその日持ち性を判定することができる花卉の日持ち性判定装置及び方法を提供すること。【解決手段】判定装置１は、暗箱３、保持台５、励起光源７、カメラ９、及び制御器１３を備えている。また、日持ち性を判定する対象である花卉１９は、保持台５によって保持されている。花卉１９に励起光源７から励起光Ｌが照射されると、花卉１９からクロロフィル蛍光ＣＦ及び遅延蛍光ＤＦが発生する。カメラ９は、発生したクロロフィル蛍光ＣＦ及び遅延蛍光ＤＦを撮像し、画像を制御器１３へ送る。制御器１３の判定手段１３ｂは、遅延蛍光ＤＦの光量Ｉｄｆとクロロフィル蛍光ＣＦの光量Ｉｃｆとの比（Ｉｄｆ／Ｉｃｆ）と花卉１９の日持ち性との相関に基づいて、花卉１９の日持ち性を判定する。【選択図】  図１
2004301638.tif 000002
【特許請求の範囲】
【請求項１】
花卉の日持ち性を判定する装置であって、
前記花卉の花弁または葉に励起光を照射する励起光源と、
前記励起光源からの前記励起光に応じて前記花卉から発生する光の光量を測定する測定手段と、
前記測定手段において測定された前記光量と前記花卉の日持ち性との相関に基づいて、前記花卉の日持ち性を判定する判定手段と
を備えることを特徴とする花卉の日持ち性判定装置。
【請求項２】
前記測定手段が、前記花卉から発生する光としてクロロフィル蛍光及び遅延蛍光の光量を測定することを特徴とする請求項１に記載の花卉の日持ち性判定装置。
【請求項３】
前記測定手段が前記花卉における所定箇所の前記クロロフィル蛍光の前記光量を測定した後に、前記測定手段が該所定箇所における前記遅延蛍光の前記光量を測定するよう前記測定手段を制御する制御手段をさらに備えることを特徴とする請求項２に記載の花卉の日持ち性判定装置。
【請求項４】
前記判定手段が、前記クロロフィル蛍光の前記光量と前記遅延蛍光の前記光量との比と前記花卉の日持ち性との相関に基づいて、前記花卉の日持ち性を判定することを特徴とする請求項２または３に記載の花卉の日持ち性判定装置。
【請求項５】
前記花卉が、栽培中のバラまたは収穫されたバラであることを特徴とする請求項１〜４のいずれか一項に記載の花卉の日持ち性判定装置。
【請求項６】
前記判定手段が、前記花卉のベントネック及び開花ステージ進度のうち少なくとも一方を予測することにより日持ち性を判定することを特徴とする請求項１〜５のいずれか一項に記載の花卉の日持ち性判定装置。
【請求項７】
花卉の日持ち性を判定する方法であって、
前記花卉の花弁または葉に励起光を照射する励起ステップと、
前記励起ステップにおいて照射された前記励起光に応じて前記花卉から発生する光の光量を測定する測定ステップと、
前記測定ステップにおいて測定された前記光量と前記花卉の日持ち性との相関に基づいて、前記花卉の日持ち性を判定する判定ステップと
を備えることを特徴とする花卉の日持ち性判定方法。
【請求項８】
前記測定ステップにおいて、前記花卉から発生する光としてクロロフィル蛍光及び遅延蛍光の光量を測定することを特徴とする請求項７に記載の花卉の日持ち性判定方法。
【請求項９】
前記測定ステップにおいて、前記花卉における所定箇所の前記クロロフィル蛍光の前記光量を測定した後に、該所定箇所における前記遅延蛍光の前記光量を測定することを特徴とする請求項８に記載の花卉の日持ち性判定方法。
【請求項１０】
前記判定ステップにおいて、前記クロロフィル蛍光の前記光量と前記遅延蛍光の前記光量との比と前記花卉の日持ち性との相関に基づいて、前記花卉の日持ち性を判定することを特徴とする請求項８または９に記載の花卉の日持ち性判定方法。
【請求項１１】
前記花卉が、栽培中のバラまたは収穫されたバラであることを特徴とする請求項７〜１０のいずれか一項に記載の花卉の日持ち性判定方法。
【請求項１２】
前記判定ステップにおいて、前記花卉のベントネック及び開花ステージ進度のうち少なくとも一方を予測することにより日持ち性を判定することを特徴とする請求項７〜１１のいずれか一項に記載の花卉の日持ち性判定方法。
【発明の詳細な説明】
【０００１】
【発明の属する技術分野】
本発明は、花卉の日持ち性を判定する装置及び方法に関する。
【０００２】
【従来の技術】
切り花における日持ち性は、その商品性を決定する上で重要な要素である。例えばバラの場合は、ベントネック（首だれ）という現象が起こると切り花としての商品価値が無くなってしまう。また、切り花の出荷は開花ステージ３（図２参照）程度で行うが、開花ステージが短時間で進んだ場合、消費者に渡るまでに開花ステージ６または７といった状態になることがある。このように開花ステージが進んだ状態になると、観賞期間が短くなるという問題がある。さらに、開花ステージが短時間で進む個体は、ベントネックを起こしやすい傾向がある。
【０００３】
従来より、切り花の日持ち性を非破壊で検査する技術はなく、収穫された切り花を低温貯蔵したり、鮮度保持剤を吸収させるなど日持ち性が良くなるような栽培方法に従い栽培することで、その商品価値を保っている。また、こうして栽培された切り花の日持ち性を保証するには、次の２つの方法がある。すなわち、（１）出荷品の一部をサンプリングし一定環境条件で日持ち性を実際に観察することにより間接的に保証する方法、及び（２）花弁に含まれる糖分などを分析することにより日持ち性を推測する方法である。
【０００４】
【特許文献１】
特表２００１−５２５９２８号公報
【０００５】
【発明が解決しようとする課題】
しかしながら、上記した２つの方法では、間接的な検査しか行えない。すなわち、上記（１）の方法では、出荷品の一部をサンプリングして実際の日持ち性を観察するので、この観察用サンプルは出荷することができない。また、上記（２）の方法では、花弁に含まれる糖分などを分析する際に分析用サンプルを破壊してしまうため、これも出荷することができない。従って、これらの方法では実際に出荷される個体を検査することができず、出荷される個体それぞれの日持ち性を直接保証することができなかった。
【０００６】
本発明は、以上の問題点を解決するためになされたものであり、出荷される個体のそれぞれを直接検査しその日持ち性を判定することができる花卉の日持ち性判定装置及び方法を提供することを目的とする。
【０００７】
【課題を解決するための手段】
本発明による花卉の日持ち性判定装置は、花卉の日持ち性を判定する装置であって、花卉の花弁または葉に励起光を照射する励起光源と、励起光源からの励起光に応じて花卉から発生する光の光量を測定する測定手段と、測定手段において測定された光量と花卉の日持ち性との相関に基づいて、花卉の日持ち性を判定する判定手段とを備えることを特徴とする。
【０００８】
また、本発明による花卉の日持ち性判定方法は、花卉の日持ち性を判定する方法であって、花卉の花弁または葉に励起光を照射する励起ステップと、励起ステップにおいて照射された励起光に応じて花卉から発生する光の光量を測定する測定ステップと、測定ステップにおいて測定された光量と花卉の日持ち性との相関に基づいて、花卉の日持ち性を判定する判定ステップとを備えることを特徴とする。
【０００９】
本発明者らは、花卉の日持ち性と花卉から発生する光の光量との間に、密接な相関があることを見出した。すなわち、本発明による花卉の日持ち性判定装置及び方法によれば、励起光を照射することにより花卉から発生する光の光量と花卉の日持ち性との相関に基づいて花卉の日持ち性を判定することによって、花卉の個体を破壊することなくその日持ち性を判定することが可能となる。従って、出荷される個体のそれぞれを直接検査しその日持ち性を判定することができる。
【００１０】
また、花卉の日持ち性判定装置（方法）は、測定手段が（測定ステップにおいて）、花卉から発生する光としてクロロフィル蛍光及び遅延蛍光の光量を測定することを特徴としてもよい。クロロフィル蛍光及び遅延蛍光の光量と花卉の日持ち性との相関に基づいて花卉の日持ち性を判定することによって、花卉の日持ち性を好適に判定することができる。
【００１１】
また、花卉の日持ち性判定装置は、測定手段が花卉における所定箇所のクロロフィル蛍光の光量を測定した後に、測定手段が該所定箇所における遅延蛍光の光量を測定するよう測定手段を制御する制御手段をさらに備えることを特徴としてもよい。また、花卉の日持ち性判定方法は、測定ステップにおいて、花卉における所定箇所のクロロフィル蛍光の光量を測定した後に、該所定箇所における遅延蛍光の光量を測定することを特徴としてもよい。これらの花卉の日持ち性判定装置及び方法によれば、同一の励起光によるクロロフィル蛍光及び遅延蛍光を同一箇所において測定するので、花卉の日持ち性をより正確に判定することができる。
【００１２】
また、花卉の日持ち性判定装置（方法）は、判定手段が（判定ステップにおいて）、クロロフィル蛍光の光量と遅延蛍光の光量との比と花卉の日持ち性との相関に基づいて、花卉の日持ち性を判定することを特徴としてもよい。これによって、花卉の日持ち性をより正確に判定することができる。
【００１３】
また、花卉の日持ち性判定装置（方法）は、花卉が、栽培中のバラまたは収穫されたバラであることを特徴としてもよい。
【００１４】
また、花卉の日持ち性判定装置（方法）は、判定手段が（判定ステップにおいて）、花卉のベントネック及び開花ステージ進度のうち少なくとも一方を予測することにより日持ち性を判定することを特徴としてもよい。これによって、花卉の日持ち性を具体的に判定することができる。
【００１５】
【発明の実施の形態】
以下、図面とともに本発明による花卉の日持ち性判定装置及び方法の好適な実施形態について説明する。なお、図面の説明においては同一要素には同一符号を付し、重複する説明を省略する。また、図面の寸法比率は、説明のものと必ずしも一致していない。
【００１６】
図１は、本発明による花卉の日持ち性判定装置（以下、判定装置という）の実施形態の構成を示すブロック図である。図１に示された判定装置１は、暗箱３、保持台５、励起光源７、カメラ９、及び制御器１３を備えている。
【００１７】
保持台５は、判定対象である花卉１９を保持するための手段である。ここで、花卉１９は例えばバラなどの切り花である。花卉１９は、花弁１９ａ及び葉１９ｂを有している。花卉１９は、葉のみを有する観賞用植物でもよい。また、本実施形態では切り花として収穫された観賞用植物を判定対象とするが、栽培中の観賞用植物を判定対象としてもよい。
【００１８】
励起光源７は、花卉１９の花弁１９ａ及び葉１９ｂのうち少なくとも一方に励起光Ｌを照射するための手段である。花卉１９は、励起光源７から励起光Ｌを照射されることによって、クロロフィル蛍光ＣＦ（Ｃｈｌｏｒｏｐｈｙｌｌ  Ｆｌｕｏｒｅｓｃｅｎｃｅ）及び遅延蛍光ＤＦ（Ｄｅｌａｙｅｄ  Ｆｌｕｏｒｅｓｃｅｎｃｅ）を発生する。励起光源７はシャッタ１１を有しており、シャッタ１１を開けている間だけ、励起光Ｌが花卉１９に照射される。また、カメラ９は、花卉１９から発生したクロロフィル蛍光ＣＦの光量Ｉｃｆ及び遅延蛍光ＤＦの光量Ｉｄｆを、花卉１９を撮像することによって測定するための測定手段である。
【００１９】
クロロフィル蛍光ＣＦ及び遅延蛍光ＤＦは、６５０ｎｍ〜７５０ｎｍの波長範囲にある。一方、励起光源７は、光合成に有効な４００ｎｍ〜７００ｎｍの波長範囲の光を照射することによりクロロフィル蛍光ＣＦ及び遅延蛍光ＤＦを発生させることができる。従って、波長６５０ｎｍを境界波長とし、カメラ９としてこの境界波長より長い波長の光の像を撮像できるカメラを用いるとともに、励起光源７として境界波長より短い波長の励起光Ｌを照射できる光源を用いる。このような励起光源７及びカメラ９を用いることにより、励起光Ｌがカメラ９により測定されるのを防止する。なお、境界波長としては、例えば６００ｎｍ〜７００ｎｍの範囲で任意に設定可能である。
【００２０】
制御器１３は、励起光源７及びカメラ９の動作を制御するための制御手段１３ａと、カメラ９において測定されたクロロフィル蛍光ＣＦの光量Ｉｃｆ及び遅延蛍光ＤＦの光量Ｉｄｆと花卉１９の日持ち性との相関に基づいて、花卉１９の日持ち性を判定するための判定手段１３ｂとを有する。制御器１３は、例えばＣＰＵ及びハードディスクなどを備えており、ハードディスクに記憶されているプログラムをＣＰＵが実行することにより制御手段１３ａ及び判定手段１３ｂを実現する。
【００２１】
制御器１３は、配線１５を介して励起光源７と電気的に接続されており、励起光源７のシャッタ１１の開閉を指示するための信号を制御手段１３ａから励起光源７へ送る。また、制御器１３は、配線１７を介してカメラ９と電気的に接続されており、撮像を指示するための信号を制御手段１３ａからカメラ９へ送る。そして、カメラ９が撮像した花卉１９の画像を判定手段１３ｂに取り込み、クロロフィル蛍光ＣＦの光量Ｉｃｆ及び遅延蛍光ＤＦの光量Ｉｄｆを認識する。判定手段１３ｂは、光量Ｉｃｆ及び光量Ｉｄｆと花卉１９の日持ち性との相関に基づいて、花卉１９の日持ち性を判定する。ここでいう日持ち性の判定とは、例えば花卉１９にベントネックが生じる時期を予測すること、及び開花ステージ進度を予測することである。これらのうち少なくとも一方を予測することにより、花卉１９の日持ち性が判定される。
【００２２】
ここで、図２は、花卉１９として例えばバラを判定対象とした場合の、開花ステージを示す図である。バラの開花ステージは、概ね９段階に分かれている。そのうち、図２には、開花ステージ３から開花ステージ９までの開花状態が示されている。開花ステージが進むにつれてバラの花弁が開いていき、やがて露心する。
【００２３】
また、図３は、クロロフィル蛍光ＣＦの光量Ｉｃｆ及び遅延蛍光ＤＦの光量Ｉｄｆと花卉１９（バラ、品種「パレオ」）の日持ち性との相関を表すグラフである。このグラフでは、光量Ｉｄｆと光量Ｉｃｆとの比（Ｉｄｆ／Ｉｃｆ）を横軸にとり、光量Ｉｃｆ及びＩｄｆを測定してから開花ステージ６に達するまでの日数を縦軸にとっている。このグラフでは、予め測定された花卉１９のサンプルにおける花弁１９ａでの値が複数プロットされており（プロット２３）、このプロット２３に基づいて検量線２１が決定されている。すなわち、この検量線２１は、花卉１９の花弁１９ａにおける判定値（Ｉｄｆ／Ｉｃｆ）の値と開花ステージ６までの日数との相関を表している。
【００２４】
制御器１３の判定手段１３ｂは、測定された判定値（Ｉｄｆ／Ｉｃｆ）の値が検量線２１の何処に位置するかを判断し、測定された花卉１９の開花ステージ６までの日数を予測することにより、花卉１９の日持ち性を判定する。なお、クロロフィル蛍光ＣＦの光量Ｉｃｆ及び遅延蛍光ＤＦの光量Ｉｄｆと花卉１９の日持ち性との相関を表すグラフは図３に示されたものに限らず、例えば判定値（Ｉｄｆ／Ｉｃｆ）の値と所定の度合いのベントネックが生じるまでの日数との相関グラフであってもよい。なお、検量線２１の導出方法については後述する。
【００２５】
暗箱３は、保持台５、励起光源７、及びカメラ９を内部に有している。暗箱３は、外部からの光を遮光することができるとともに、その内部温度が、花卉１９の状態を一定に保つための定温庫と同じ温度になるよう保たれている。
【００２６】
図４は、定温庫２５の構成を示す概略図である。定温庫２５は、その内部の温度が一定温度（例えば２５度）に保たれており、照明装置２７及び容器２９を有している。容器２９は、花卉１９を活けるための手段であり、その内部に花卉１９のための活け水３１が入っている。活け水３１は例えば蒸留水であり、切り花用の鮮度保持剤を含まないことが好ましい。また、照明装置２７は、一定照度（例えば１０００ルクス）の光を常時点灯している。この定温庫２５は、花卉１９を判定装置１にセットする前に、花卉１９の内部状態を安定させるために使用される。
【００２７】
以上、本実施形態による花卉の日持ち性判定装置１の構成を説明した。次に、本発明による花卉の日持ち性判定方法の実施形態について説明する。この判定方法は、上記した判定装置１を用いて好適に実施することができる。なお、以下の説明においては、まず判定対象である花卉１９を判定する方法について述べ、次に本方法で用いられる検量線２１の導出方法について述べる。
【００２８】
図５は、本実施形態による花卉の日持ち性判定方法を示すフローチャートである。図５を参照すると、本判定方法では、まず花卉１９を定温庫２５に保管する（ステップＳ１）。このとき、定温庫２５内を一定温度に保つとともに、花卉１９には一定照度の光を照射し、活け水３１として蒸留水を与える。
【００２９】
続いて、花卉１９を判定装置１の保持台５にセットする（ステップＳ２）。このとき、暗箱３の蓋を閉め、外部の光が暗箱３内部に入らないようにする。また、暗箱３内部の温度を定温庫２５内部の温度と同一に保つ。そして、制御器１３の制御手段１３ａから配線１５を介して励起光源７に指示を送り、励起光源７のシャッタ１１を開いて花卉１９の花弁１９ａ及び葉１９ｂに励起光Ｌを照射し始める（ステップＳ３、励起ステップ）。このとき、花卉１９に励起光Ｌを照射すると同時に、花卉１９の花弁１９ａ及び葉１９ｂからはクロロフィル蛍光ＣＦが発生する。
【００３０】
続いて、制御器１３の制御手段１３ａから配線１７を介してカメラ９に指示を送り、花卉１９から発生しているクロロフィル蛍光ＣＦをカメラ９において撮像することにより、クロロフィル蛍光ＣＦの光量Ｉｃｆを測定する（ステップＳ４、測定ステップ）。このとき、カメラ９は、花卉１９の花弁１９ａ及び葉１９ｂのうち、予め検量線２１が得られている所定箇所を撮像するとよい。また、このとき、カメラ９による撮像を所定の時間（例えば１０秒間）継続して行い、日持ち性を判定するために充分な光量を確保する。そして、カメラ９により撮像されたクロロフィル蛍光ＣＦによる画像を制御器１３の判定手段１３ｂへ取り込み、クロロフィル蛍光ＣＦの光量Ｉｃｆを認識する。
【００３１】
続いて、制御器１３の制御手段１３ａから励起光源７に信号を送ることにより、励起光源７のシャッタ１１を閉じる（ステップＳ５）。シャッタ１１を閉じると、励起光Ｌが花卉１９に照射されなくなり、暗箱３内は暗黒となる。このとき、花卉１９の花弁１９ａ及び葉１９ｂからは、遅延蛍光ＤＦが発生する。シャッタ１１を閉じた直後、制御手段１３ａからカメラ９に指示を送り、花卉１９から発生している遅延蛍光ＤＦをカメラ９において撮像することにより、遅延蛍光ＤＦの光量Ｉｃｆを測定する（ステップＳ６、測定ステップ）。このとき、クロロフィル蛍光ＣＦを撮像し終えてから１秒以内に遅延蛍光ＤＦの撮像を開始することが好ましい。また、このとき、カメラ９は、花卉１９の花弁１９ａ及び葉１９ｂのうち、クロロフィル蛍光を撮像した所定箇所と同一の箇所を撮像するとよい。また、このとき、カメラ９による撮像を所定の時間（例えば３０秒間）継続して行い、日持ち性を判定するために充分な光量を確保する。そして、カメラ９により撮像された遅延蛍光ＤＦによる画像を制御器１３の判定手段１３ｂへ取り込み、遅延蛍光ＤＦの光量Ｉｄｆを認識する。
【００３２】
続いて、制御器１３の判定手段１３ｂにおいて判定値（Ｉｄｆ／Ｉｃｆ）を求める（ステップＳ７）。すなわち、カメラ９により撮像したクロロフィル蛍光ＣＦの画像及び遅延蛍光ＤＦの画像に基づいて認識したそれぞれの光量Ｉｃｆ及びＩｄｆの比を求め、これを判定値とする。そして、花卉１９の品種に応じて予め用意された検量線２１を用いて、判定値に基づき花卉１９の日持ち性を判定する。このとき、日持ち性の判定方法として、例えば開花ステージ６といった開花状態までの日数、または所定の度合いのベントネックが生じるまでの日数を予測する（ステップＳ８、判定ステップ）。
【００３３】
図６は、検量線２１の導出方法を示すフローチャートである。花卉１９としては様々な品種が存在し、各品種それぞれに応じて検量線２１も全く異なる。従って、検量線２１を、判定対象となる花卉１９の品種毎に以下の方法により予め導出する。
【００３４】
図６を参照すると、まず、判定対象の花卉１９と同じ品種の花卉をサンプルとして複数本用意する。そして、用意した各サンプルを定温庫２５（図４参照）内に保管する（ステップＳ１１）。このとき、各サンプルを切り花として収穫してから速やかに定温庫２５内へ保管することが好ましい。また、このとき、各サンプルの温度や吸水状態などの内部状態が安定するまで（例えば３０分間）、各サンプルを定温庫２５内へ保管する。
【００３５】
続いて、定温庫２５から各サンプルを取り出し、判定装置１の保持台５にセットする。そして、各サンプルそれぞれについて、図５に示した判定方法のうちステップＳ２〜Ｓ７により判定値（Ｉｄｆ／Ｉｃｆ）を求める（ステップＳ１２）。判定値を測定した後、各サンプルを再び定温庫２５内に戻す（ステップＳ１３）。
【００３６】
続いて、定温庫２５内の各サンプルそれぞれについて、毎日所定の時刻に、開花ステージ進度（進み具合）を調査する（ステップＳ１４）とともに、ベントネックの発生度を調査する（ステップＳ１５）。このとき、開花ステージ進度については、例えば図２に示された開花ステージを参考にして判断する。また、ベントネックの発生度については、例えば発生度の段階を０（ベントネック無し）、１（軽度のベントネック）、２（中度のベントネック）、３（甚度のベントネック）として各サンプルそれぞれのベントネック状態を判断する。そして、開花ステージ進度及びベントネックの発生度の調査を、検量線２１を求めるのに必要な所定の日数繰り返し行う（ステップＳ１６）。
【００３７】
続いて、各サンプルそれぞれについて、所定日数調査して得られた開花ステージ進度及びベントネック発生度と判定値（Ｉｄｆ／Ｉｃｆ）とに応じて図３に示された座標軸上にプロットする。そして、各サンプルそれぞれのプロット位置を近似する直線を求め、これを検量線２１とする（ステップＳ１７）。以上の方法により、花卉１９の品種に応じた検量線２１が求まる。
【００３８】
なお、判定値（Ｉｄｆ／Ｉｃｆ）の精度は花卉１９の品種により花弁１９ａと葉１９ｂとでは異なるため、花弁１９ａ及び葉１９ｂそれぞれについて判定値を求め、判定値と日持ち性とがより高い相関関係を有する部位における検量線２１をその品種の検量線２１として用いるとよい。
【００３９】
以上に説明した本実施形態による花卉の日持ち性判定装置及び方法が有する効果について説明する。発明者らは、花卉１９に励起光Ｌを照射したときに発生する光の光量（例えば遅延蛍光ＤＦの光量Ｉｄｆ）と、花卉１９の日持ち性（例えば該光量を測定してから開花ステージ６に達するまでに要した日数）との間に、高い相関関係が存在することを見出した。例えば、花卉１９から発生する遅延蛍光ＤＦの光量Ｉｄｆが大きい場合には、開花が遅くその結果として切り花としての鑑賞期間が長くなる。
【００４０】
本実施形態による判定装置１及び判定方法では、励起光Ｌを照射することにより花卉１９から発生する遅延蛍光ＤＦの光量Ｉｄｆと花卉１９の日持ち性との相関に基づいて花卉１９の日持ち性を判定している。これによって、花卉１９の個体を破壊するなどの影響を与えずに各個体の日持ち性を判定することが可能となる。従って、本判定装置１及び判定方法によれば、出荷される花卉１９の個体のそれぞれを直接検査してその日持ち性を判定し、保証することができる。なお、特許文献１に開示されている方法は、果実及び野菜について、測定時点での成熟度を評価する方法であり、日持ち性を判定するものではない。
【００４１】
また、本実施形態による判定装置１及び判定方法では、カメラ９が、花卉１９から発生する光のうちクロロフィル蛍光ＣＦの光量Ｉｃｆ及び遅延蛍光ＤＦの光量Ｉｄｆを測定している。判定装置１及び判定方法はこれらの光の光量を利用することが好ましく、クロロフィル蛍光ＣＦの光量Ｉｃｆ及び遅延蛍光ＤＦの光量Ｉｄｆと花卉１９の日持ち性との相関（例えば図３参照）に基づいて花卉１９の日持ち性を判定することによって、花卉１９の日持ち性を好適に判定することができる。
【００４２】
また、本実施形態による判定方法では、ステップＳ４において、花卉１９における所定箇所のクロロフィル蛍光ＣＦの光量Ｉｃｆを測定した後に、ステップＳ６において、該所定箇所における遅延蛍光ＤＦの光量Ｉｄｆを測定している。また、本実施形態による判定装置１は、この判定方法を実現するための制御手段１３ａを備えている。判定装置１及び判定方法は、クロロフィル蛍光ＣＦの光量Ｉｃｆ及び遅延蛍光ＤＦの光量Ｉｄｆをこのように測定することが好ましい。これによって、同一の励起光Ｌにより発生したクロロフィル蛍光ＣＦ及び遅延蛍光ＤＦそれぞれの光量を同一箇所において測定するので、クロロフィル蛍光ＣＦ及び遅延蛍光ＤＦの測定条件が同一になり、花卉１９の日持ち性をより正確に判定することができる。
【００４３】
また、本実施形態による判定装置１及び判定方法では、制御器１３の判定手段１３ｂが、クロロフィル蛍光ＣＦの光量Ｉｃｆと遅延蛍光ＤＦの光量Ｉｄｆとの比（Ｉｄｆ／Ｉｃｆ）と花卉１９の日持ち性との相関（図３参照）に基づいて、花卉１９の日持ち性を判定している。遅延蛍光ＤＦの光量Ｉｄｆは、種々の要因、例えば花卉１９における測定面積、励起光Ｌの照射条件、花弁１９ａの色素、及び花卉１９の表面状態などの影響を受ける。これに対し、発明者らは、励起光Ｌによって発生するクロロフィル蛍光ＣＦの光量Ｉｃｆと遅延蛍光ＤＦの光量Ｉｄｆとの比を評価対象とすることにより、上記した各要因による影響がキャンセルされた検量線２１を得ることに成功した。従って、判定装置１及び判定方法では、光量Ｉｃｆと光量Ｉｄｆとの比（Ｉｄｆ／Ｉｃｆ）を用いて花卉１９の日持ち性を判定することが好ましく、これによって、花卉１９の日持ち性をより正確に判定することができる。
【００４４】
また、本実施形態による判定装置１及び判定方法では、制御器１３の判定手段１３ｂが、花卉１９の開花ステージ進度を予測することにより該花卉１９の日持ち性を判定してもよく、また、花卉１９のベントネックを予測することにより該花卉１９の日持ち性を判定してもよい。これらの双方または少なくとも一方により花卉１９の日持ち性を判定することによって、花卉１９の日持ち性を具体的に判定することができる。
【００４５】
本発明による花卉の日持ち性判定装置及び方法は、上記した実施形態に限られるものではなく、様々な変形が可能である。例えば、日持ち性の判定に用いる光はクロロフィル蛍光ＣＦ及び遅延蛍光ＤＦに限らず、花卉１９の日持ち性と相関を有する光であれば、該花卉１９の日持ち性を好適に判定することができる。
【００４６】
【発明の効果】
本発明による花卉の日持ち性判定装置及び方法によれば、出荷される個体のそれぞれを直接検査しその日持ち性を判定することができる。
【図面の簡単な説明】
【図１】本発明による花卉の日持ち性判定装置の実施形態の構成を示すブロック図である。
【図２】花卉として例えばバラを判定対象とした場合の、開花ステージを示す図である。
【図３】クロロフィル蛍光の光量及び遅延蛍光の光量と花卉（バラ、品種「パレオ」）の日持ち性との相関を表すグラフである。
【図４】定温庫の構成を示す概略図である。
【図５】本実施形態による花卉の日持ち性判定方法を示すフローチャートである。
【図６】検量線の導出方法を示すフローチャートである。
【符号の説明】
１…判定装置、３…暗箱、５…保持台、７…励起光源、９…カメラ、１１…シャッタ、１３…制御器、１３ａ…制御手段、１３ｂ…判定手段、１５、１７…配線、１９…花卉、１９ａ…花弁、１９ｂ…葉、２１…検量線、２３…プロット、２５…定温庫、２７…照明装置、２９…容器、３１…水、ＣＦ…クロロフィル蛍光、ＤＦ…遅延蛍光、Ｌ…励起光。
【図１】
2004301638.tif 000003
【図２】
2004301638.tif 000004
【図３】
2004301638.tif 000005
【図４】
2004301638.tif 000006
【図５】
2004301638.tif 000007
【図６】
2004301638.tif 000008